(57)【要約】  減光フィルタにより開放絞り値を用いることを可能とする範囲を拡大するとともに、ブレの発生を軽減することを可能とする撮影装置、撮影装置本体、及び撮影装置の制御方法を提供する。  撮影装置（１０）は、絞り（２１）、ＡＰＤフィルタ（２２）、ＮＤフィルタ（２３）、撮像素子（３２）、主制御部（３４）、測光部（５２）、プログラム線図記憶部（５４）、及び撮影露出決定部（５６）を備える。ＮＤフィルタ（２３）は、光路上に挿脱可能である。測光部（５２）は、撮像素子（３２）により得られる撮像信号から測光値を求める。プログラム線図記憶部（５４）は、特定の露出量以下で絞り値が開放絞り値に固定されたプログラム線図を記憶する。撮影露出決定部（５６）は、プログラム線図と、測光値から求まる撮影露出量とに基づき撮影露出を決定する。主制御部（３４）は、撮影露出量が特定の露出量より大きい場合にＮＤフィルタ（２３）を光路上に挿入させる。
2016158248.tif 000002
【特許請求の範囲】
【請求項１】
入射光を光電変換して撮像信号を出力する撮像素子と、
前記入射光の光量を調整する絞りと、
前記撮像信号に基づいて測光を行う測光部と、
前記入射光の光路上に配置されるアポダイゼーションフィルタと、
特定の露出量以下で絞り値が開放絞り値に固定されたプログラム線図を記憶するプログラム線図記憶部と、
前記プログラム線図と、前記測光部による測光値から求まる撮影露出量とに基づいて、一組の撮影絞り値及び撮影シャッタ速度を決定する撮影露出決定部と、
前記光路上に挿脱される減光フィルタと、
前記撮影露出量が前記特定の露出量より大きい場合に、前記減光フィルタを前記光路上に挿入させる制御部と、
を備える撮影装置。
【請求項２】
入射光を光電変換して撮像信号を出力する撮像素子と、
前記入射光の光量を調整する絞りと、
前記撮像信号に基づいて測光を行う測光部と、
前記入射光の光路上に配置されるアポダイゼーションフィルタと、
第１露出量以下で絞り値が開放絞り値に固定された第１プログラム線図と、前記第１露出量より大きい第２露出量以下で絞り値が開放絞り値に固定された第２プログラム線図とを記憶するプログラム線図記憶部と、
前記アポダイゼーションフィルタが前記光路上に配置されていない場合に前記第１プログラム線図を選択し、前記アポダイゼーションフィルタが前記光路上に配置されている場合に前記第２プログラム線図を選択し、前記測光部による測光値から求まる撮影露出量に基づき、一組の撮影絞り値及び撮影シャッタ速度を決定する撮影露出決定部と、
前記光路上に挿脱される減光フィルタと、
前記アポダイゼーションフィルタが前記光路上に配置されている場合であって、かつ前記撮影露出量が前記第２露出量より大きい場合に、前記減光フィルタを前記光路上に挿入させる制御部と、
を備える撮影装置。
【請求項３】
前記第２プログラム線図で前記第２露出量に対応するシャッタ速度は、前記第１プログラム線図の前記第１露出量に対応するシャッタ速度より速い請求項２に記載の撮影装置。
【請求項４】
メカシャッタを備え、
前記第２プログラム線図で前記第２露出量に対応するシャッタ速度は、前記第１プログラム線図の前記第１露出量に対応するシャッタ速度より速く、かつ前記メカシャッタの高速側の限界速度以下である請求項３に記載の撮影装置。
【請求項５】
メカシャッタを備え、
前記撮像素子は、電子シャッタ機能を有し、
前記第２プログラム線図で前記第２露出量に対応するシャッタ速度は、前記メカシャッタの高速側の限界速度より速く、
前記撮影シャッタ速度が前記限界速度より速い場合は、前記電子シャッタ機能により前記撮影シャッタ速度を設定する請求項３に記載の撮影装置。
【請求項６】
前記制御部は、前記撮影露出量が、前記第２露出量より大きい第３露出量以上の場合に、前記減光フィルタを前記光路上に挿入させ、
前記第２プログラム線図で前記第３露出量に対応する絞り値は、前記開放絞り値よりも大きい請求項２〜５のいずれか１項に記載の撮影装置。
【請求項７】
前記アポダイゼーションフィルタは、絞り値が閾値以下の場合にアポダイゼーション効果が得られ、
前記第２プログラム線図で前記第３露出量に対応する絞り値は、前記閾値に対応する請求項６に記載の撮影装置。
【請求項８】
前記第１プログラム線図は、前記第１露出量より大きい範囲では、絞り値が離散的な値を取る請求項２〜７のいずれか１項に記載の撮影装置。
【請求項９】
前記第２プログラム線図は、前記第２露出量より大きい範囲では、絞り値が離散的な値を取る請求項２〜７のいずれか１項に記載の撮影装置。
【請求項１０】
前記アポダイゼーションフィルタは、絞り値が閾値以下の場合にアポダイゼーション効果が得られ、
前記第２プログラム線図は、前記第２露出量よりも大きい第４露出量から、前記第４露出量よりも大きい第５露出量以下の範囲では、絞り値が前記閾値に固定されている請求項５に記載の撮影装置。
【請求項１１】
前記制御部は、前記撮影露出量が、前記第４露出量以上の場合に、前記減光フィルタを前記光路上に挿入させる請求項１０に記載の撮影装置。
【請求項１２】
前記第２プログラム線図は、前記第２露出量から前記第４露出量の範囲、及び前記第５露出量より大きい範囲では、絞り値が離散的な値を取る請求項１０または１１に記載の撮影装置。
【請求項１３】
前記撮像素子はＣＭＯＳ型センサであり、前記電子シャッタ機能はローリングシャッタ方式である請求項５に記載の撮影装置。
【請求項１４】
アポダイゼーションフィルタを有するレンズ鏡筒が取り付けられた撮影装置本体において、
入射光を光電変換して撮像信号を出力する撮像素子と、
前記入射光の光量を調整する絞りと、
前記撮像信号に基づいて測光を行う測光部と、
特定の露出量以下で絞り値が開放絞り値に固定されたプログラム線図を記憶するプログラム線図記憶部と、
前記プログラム線図と、前記測光部による測光値から求まる撮影露出量とに基づいて、一組の撮影絞り値及び撮影シャッタ速度を決定する撮影露出決定部と、
前記光路上に挿脱される減光フィルタと、
前記撮影露出量が前記特定の露出量より大きい場合に、前記減光フィルタを前記光路上に挿入させる制御部と、
を備える撮影装置本体。
【請求項１５】
入射光を光電変換して撮像信号を出力する撮像素子と、
前記入射光の光量を調整する絞りと、
前記撮像信号に基づいて測光を行う測光部と、
前記入射光の光路上に配置されるアポダイゼーションフィルタと、
特定の露出量以下で絞り値が開放絞り値に固定されたプログラム線図を記憶するプログラム線図記憶部と、
前記プログラム線図と、前記測光部による測光値から求まる撮影露出量とに基づいて、一組の撮影絞り値及び撮影シャッタ速度を決定する撮影露出決定部と、
前記光路上に挿脱される減光フィルタと、
を備える撮影装置の制御方法において、
前記撮影露出量が前記特定の露出量より大きい場合に、前記減光フィルタを前記光路上に挿入させる撮影装置の制御方法。
【発明の詳細な説明】
【技術分野】
【０００１】
本発明は、アポダイゼーションフィルタを備える撮影装置、撮影装置本体、及び撮影装置の制御方法に関するものである。
【背景技術】
【０００２】
従来より、アポダイゼーションフィルタ（以下、ＡＰＤフィルタと称する）を備えた撮影装置が知られている（特許文献１参照）。ＡＰＤフィルタは、光軸から離れるにつれて光透過率が低下するという光学特性を有している。このため、ＡＰＤフィルタによる減光効果は、絞り値が開放絞り値に近づくほど大きくなる。【０００３】
ＡＰＤフィルタは、像面での周辺光量は低下させずに、ピントの合っていないボケ像（点光ボケ等）に対してのみ周辺光量を低下させることで、ボケ像の輪郭にグラデーションを与え、美しいボケ味を実現する。ＡＰＤフィルタによって美しいボケ味を実現するためには、主要被写体の背景にボケ像が生じている必要がある。背景にボケ像を生じさせるためには、被写界深度を浅くする必要があり、絞りをできるだけ開き、好ましくは開放絞りとすることが求められる。【０００４】
特許文献１には、ＡＰＤフィルタが光軸に挿入された場合に、ＡＰＤ用のプログラム線図を用いて撮影露出（撮影絞り値及び撮影シャッタ速度）を自動決定することが記載されている。このＡＰＤ用のプログラム線図（以下、第２プログラム線図という）は、撮影絞り値として開放絞り値を優先的に決定するために、通常のプログラム線図（以下、第１プログラム線図という）よりも、絞りが開放絞り値に固定された領域が長い。このため、第２プログラム線図では、第１プログラム線図の場合よりも、撮影絞り値として開放絞り値を優先的に決定するために、高速の撮影シャッタ速度が用いられることがある。撮影シャッタ速度が高速化するとフリッカ等の弊害が生じる恐れがあるが、ＡＰＤフィルタを用いる場合には、背景のボケ像の生成を優先するために、撮影シャッタ速度の高速化を許容している。【０００５】
特許文献１に記載の撮影装置では、ＡＰＤフィルタが非挿入の場合には、第１プログラム線図が用いられる。しかし、この撮影装置では、ＡＰＤフィルタの挿脱とともに、第２プログラム線図への切り換えが行われることはない。このため、ＡＰＤフィルタの挿脱を行う場合には、ユーザーがプログラム線図の切り換えに係る操作を行わなければならないという煩わしさがある。【０００６】
特許文献２には、ＡＰＤフィルタと同様に、主要被写体の背景に生じるボケ像のボケ味を美しくすることを目的としたソフトフォーカスフィルタが光軸に挿脱可能に構成された撮影装置が記載されている。この特許文献２に記載の撮影装置においても、第１及び第２プログラム線図が用いられる。特許文献２では、ユーザーがプログラム線図の切り換えに係る操作を行う必要がないように、ソフトフォーカスフィルタの挿脱に応じて、プログラム線図を自動的に切り替えることが提案されている。【０００７】
また、特許文献２には、撮影絞り値として開放絞り値を用いることを可能とする範囲を拡大するために、ソフトフォーカスフィルタの光軸への挿入とともに、減光フィルタを挿入して、絞りの絞り込みを抑えることが記載されている。
【先行技術文献】
【特許文献】
【０００８】
【特許文献１】特開２００５−６２７３３号公報
【特許文献２】特開昭６３−２０６７２９号公報
【発明の概要】
【発明が解決しようとする課題】
【０００９】
特許文献１の撮影装置においても、特許文献２に記載された技術を適用し、ＡＰＤフィルタの挿脱に応じて第１プログラム線図と第２プログラム線図とを自動的に切り換えることが考えられる。また、ＡＰＤフィルタは、絞りが絞られると急速に減光効果が減少することから、特許文献２に記載のようにＡＰＤフィルタの挿入と連動して減光フィルタを挿入することが好ましい。【００１０】
しかしながら、ＡＰＤフィルタの挿入とともに減光フィルタを挿入すると、第２プログラム線図により撮影絞り値が開放絞り値に決定される領域では、減光フィルタによる減光量の分だけ、一律に撮影シャッタ速度が遅くなる。このため、ＡＰＤフィルタの挿入とともに減光フィルタを挿入することにより、ブレが発生し易くなるという問題がある。これは、撮影シャッタ速度が遅いほど問題となる。【００１１】
この問題は、ＡＰＤフィルタが光路上に挿脱される撮影装置に限られず、ＡＰＤフィルタが光路上に配置され、ＡＰＤ用のプログラム線図のみを用いる撮影装置の場合にも生じる。【００１２】
本発明は、減光フィルタにより開放絞り値を用いることを可能とする範囲を拡大するとともに、ブレの発生を軽減することを可能とする撮影装置、撮影装置本体、及び撮影装置の制御方法を提供することを目的とする。
【課題を解決するための手段】
【００１３】
本発明の撮影装置は、撮像素子と、絞りと、測光部と、アポダイゼーションフィルタと、プログラム線図記憶部と、撮影露出決定部と、減光フィルタと、制御部と、を備える。撮像素子は、入射光を光電変換して撮像信号を出力する。絞りは、入射光の光量を調整する。測光部は、撮像信号に基づいて測光を行う。アポダイゼーションフィルタは、入射光の光路上に配置される。プログラム線図記憶部は、特定の露出量以下で絞り値が開放絞り値に固定されたプログラム線図を記憶する。撮影露出決定部は、プログラム線図と、測光部による測光値から求まる撮影露出量とに基づいて、一組の撮影絞り値及び撮影シャッタ速度を決定する。減光フィルタは、光路上に挿脱される。制御部は、撮影露出量が特定の露出量より大きい場合に、減光フィルタを光路上に挿入させる。【００１４】
第２プログラム線図で第２露出量に対応するシャッタ速度は、第１プログラム線図の第１露出量に対応するシャッタ速度より速いことが好ましい。【００１５】
メカシャッタを備え、第２プログラム線図で第２露出量に対応するシャッタ速度は、第１プログラム線図の第１露出量に対応するシャッタ速度より速く、かつメカシャッタの高速側の限界速度以下であることが好ましい。【００１６】
メカシャッタを備え、撮像素子は、電子シャッタ機能を有し、第２プログラム線図で第２露出量に対応するシャッタ速度は、メカシャッタの高速側の限界速度より速く、撮影シャッタ速度が限界速度より速い場合は、電子シャッタ機能により撮影シャッタ速度を設定することが好ましい。【００１７】
制御部は、撮影露出量が、第２露出量より大きい第３露出量以上の場合に、減光フィルタを光路上に挿入させ、第２プログラム線図で第３露出量に対応する絞り値は、開放絞り値よりも大きいことが好ましい。【００１８】
アポダイゼーションフィルタは、絞り値が閾値以下の場合にアポダイゼーション効果が得られ、第２プログラム線図で第３露出量に対応する絞り値は、閾値に対応することが好ましい。【００１９】
第１プログラム線図は、第１露出量より大きい範囲では、絞り値が離散的な値を取ることが好ましい。【００２０】
第２プログラム線図は、第２露出量より大きい範囲では、絞り値が離散的な値を取ることが好ましい。【００２１】
アポダイゼーションフィルタは、絞り値が閾値以下の場合にアポダイゼーション効果が得られ、第２プログラム線図は、第２露出量よりも大きい第４露出量から、第４露出量よりも大きい第５露出量の範囲では、絞り値が閾値に固定されていることが好ましい。【００２２】
制御部は、撮影露出量が、第４露出量以上の場合に、減光フィルタを光路上に挿入させることが好ましい。【００２３】
第２プログラム線図は、第２露出量から第４露出量の範囲、及び第５露出量より大きい範囲では、絞り値が離散的な値を取ることが好ましい。【００２４】
撮像素子はＣＭＯＳ型センサであり、電子シャッタ機能はローリングシャッタ方式であることが好ましい。【００２５】
本発明の撮影装置本体は、アポダイゼーションフィルタを有するレンズ鏡筒が取り付けられる。撮影装置本体は、撮像素子と、絞りと、測光部と、プログラム線図記憶部と、撮影露出決定部と、減光フィルタと、制御部と、を備える。撮像素子は、入射光を光電変換して撮像信号を出力する。絞りは、入射光の光量を調整する。測光部は、撮像信号に基づいて測光を行う。プログラム線図記憶部は、特定の露出量以下で絞り値が開放絞り値に固定されたプログラム線図を記憶する。撮影露出決定部は、プログラム線図と、測光部による測光値から求まる撮影露出量とに基づいて、一組の撮影絞り値及び撮影シャッタ速度を決定する。減光フィルタは、光路上に挿脱される。制御部は、撮影露出量が特定の露出量より大きい場合に、減光フィルタを光路上に挿入させる。【００２６】
本発明の撮影装置の制御方法は、入射光を光電変換して撮像信号を出力する撮像素子と、入射光の光量を調整する絞りと、撮像信号に基づいて測光を行う測光部と、入射光の光路上に配置されるアポダイゼーションフィルタと、特定の露出量以下で絞り値が開放絞り値に固定されたプログラム線図を記憶するプログラム線図記憶部と、プログラム線図と、測光部による測光値から求まる撮影露出量とに基づいて、一組の撮影絞り値及び撮影シャッタ速度を決定する撮影露出決定部と、光路上に挿脱される減光フィルタと、を備える撮影装置の制御方法において、撮影露出量が特定の露出量より大きい場合に、減光フィルタを光路上に挿入させる。
【発明の効果】
【００２７】
本発明によれば、アポダイゼーションフィルタが光路上に配置されている場合に、露出値が特定の露出量より大きい場合（絞り値が開放絞り値に固定された領域を超える場合）に、減光フィルタを光路上に挿入させるので、減光フィルタにより開放絞り値を用いることを可能とする範囲を拡大するとともに、ブレの発生を軽減することができる。
【図面の簡単な説明】
【００２８】
【図１】第１実施形態の撮影装置の外観斜視図である。
【図２】第１実施形態の撮影装置の構成を示すブロック図である。
【図３】ＡＰＤフィルタの光学特性の説明図である。
【図４】Ｆ値とＴ値の関係を示すグラフである。
【図５】第１実施形態の第１プログラム線図を示す図である。
【図６】第１実施形態の第２プログラム線図を示す図である。
【図７】プログラム線図を選択するためのフローチャートである。
【図８】第２プログラム線図を用いた静止画撮影のフローチャートである。
【図９】ＮＤフィルタを挿入する例を説明する説明図である。
【図１０】撮影露出の変更について説明する説明図である。
【図１１】ローリングシャッタ方式の撮像動作を説明する説明図である。
【図１２】第２実施形態の第２プログラム線図を示す図である。
【図１３】第３実施形態の第２プログラム線図を示す図である。
【図１４】第４実施形態の第２プログラム線図を示す図である。
【図１５】ＮＤフィルタを有する撮影装置本体の構成を示すブロック図である。
【発明を実施するための形態】
【００２９】
［第１実施形態］
図１において、本発明の第１実施形態の撮影装置１０は、レンズ交換型のデジタルカメラであり、撮影装置本体１１と、撮影装置本体１１に着脱可能に取り付けられる第１レンズ鏡筒１２とを備える。第１レンズ鏡筒１２は、アポダイゼーション（ＡＰＤ：Apodization）フィルタ２２（図２参照）を有するレンズ鏡筒である。
【００３０】
撮影装置本体１１には、操作部１３が設けられている。操作部１３には、電源ボタン１３Ａ、シャッタボタン１３Ｂ、モード切替ダイヤル１３Ｃ等が含まれている。電源ボタン１３Ａは、撮影装置１０の電源をオン／オフする際に操作される。
【００３１】
シャッタボタン１３Ｂは、いわゆる「半押し」と「全押し」とを可能とする２段ストローク式のスイッチである。シャッタボタン１３Ｂは、半押しされることによってＳ１オン信号を出力し、半押しから更に押し込む全押しが行われることによってＳ２オン信号を出力する。撮影装置１０は、シャッタボタン１３ＢからＳ１オン信号が出力されると自動焦点調節（ＡＦ：Auto Focus）や自動露出制御などの撮影準備処理を実行し、Ｓ２オン信号が出力されると撮影処理を実行する。
【００３２】
モード切替ダイヤル１３Ｃは、動作モードを切り替える際に操作される。動作モードには、静止画撮影モード及び再生モードがある。静止画撮影モードでは、ライブビュー表示中にシャッタボタン１３Ｂが全押しされることによって、静止画撮影が行われる。再生モードでは、メモリ４４（図２参照）に記憶された静止画が再生される。ライブビュー表示では、画像を記録せずに、表示部４２（図２参照）にリアルタイムに画像表示が行われる。
【００３３】
図２において、撮影装置本体１１には、レンズ鏡筒取付部１１Ａが設けられている。レンズ鏡筒取付部１１Ａには、第１レンズ鏡筒１２の基端部１２Ａが取り付けられる。レンズ鏡筒取付部１１Ａには、電気接点１１Ｂが設けられている。電気接点１１Ｂは、基端部１２Ａに設けられた電気接点１２Ｂと接触することによって、撮影装置本体１１と第１レンズ鏡筒１２とを電気的に接続させる。
【００３４】
また、撮影装置本体１１には、ＡＰＤフィルタ２２を有する第１レンズ鏡筒１２に代えて、ＡＰＤフィルタ２２を有しない第２レンズ鏡筒１４が着脱可能とされている。第２レンズ鏡筒１４は、基端部１４Ａが撮影装置本体１１のレンズ鏡筒取付部１１Ａに取り付けられる。第１レンズ鏡筒１２と同様に、第２レンズ鏡筒１４の基端部１４Ａには、レンズ鏡筒取付部１１Ａの電気接点１１Ｂと接触する電気接点１４Ｂが設けられている。
【００３５】
第１レンズ鏡筒１２は、フォーカスレンズ２０と、絞り２１と、ＡＰＤフィルタ２２と、ＮＤ（Neutral Density）フィルタ２３と、ＩＤ（Identification Data）記憶部２４と、を有している。第１レンズ鏡筒１２の光軸ＬＡ上には、フォーカスレンズ２０、絞り２１、ＡＰＤフィルタ２２、及びＮＤフィルタ２３が、被写体側からこの順に配置されている。光軸ＬＡは、被写体からの入射光の光路に相当する。
【００３６】
第２レンズ鏡筒１４は、フォーカスレンズ２０と、絞り２１と、ＩＤ記憶部２５とを有している。第２レンズ鏡筒１４の光軸ＬＡ上には、フォーカスレンズ２０及び絞り２１が、被写体側からこの順に配置されている。
【００３７】
フォーカスレンズ２０は、被写体からの入射光を集光して結像する。また、フォーカスレンズ２０は、後述する主制御部３４の制御に基づいて、モータ２８Ａの駆動により光軸ＬＡ方向に移動し、撮影距離を調節する。モータ２８Ａは、ステッピングモータやサーボモータである。
【００３８】
絞り２１は、入射光の光量を調整する。絞り２１は、後述する主制御部３４の制御に基づいて、モータ２８Ｂの駆動により複数枚の絞り羽根（図示せず）を移動させ、後述する撮像素子３２への入射光量を変化させる。モータ２８Ｂは、ステッピングモータやサーボモータである。
【００３９】
ＩＤ記憶部２４，２５は、レンズ鏡筒の種類を特定するためのＩＤを記憶している。このＩＤは、後述する主制御部３４によって、ＡＰＤフィルタ２２の有無を特定するために用いられる。第１レンズ鏡筒１２のＩＤ記憶部２４には、ＡＰＤフィルタ２２を有するという情報を含むＩＤが記憶されている。第２レンズ鏡筒１４のＩＤ記憶部２５には、ＡＰＤフィルタ２２を有しないという情報を含むＩＤが記憶されている。
【００４０】
ＩＤ記憶部２４に記憶されたＩＤは、撮影装置本体１１と第１レンズ鏡筒１２とが接続された場合に、電気接点１１Ｂ，１２Ｂを介して、撮影装置本体１１に送信される。また、ＩＤ記憶部２５に記憶されたＩＤは、撮影装置本体１１と第２レンズ鏡筒１４とが接続された場合に、電気接点１１Ｂ，１４Ｂを介して、撮影装置本体１１に送信される。
【００４１】
図３に示すように、ＡＰＤフィルタ２２は、光軸ＬＡからの距離が大きくなるにつれて光透過率が低下するという光学特性を有する。ＡＰＤフィルタ２２は、像面での周辺光量は低下させずに、ピントの合っていないボケ像（点光ボケ等）に対してのみ周辺光量を低下させる。ＡＰＤフィルタ２２は、このような光学特性によって、ボケ像の輪郭にグラデーションを与え、美しいボケ味を実現するアポダイゼーション効果が得られる。
【００４２】
ＡＰＤフィルタ２２は、絞り２１の絞り値（Ｆ値）が開放値に近づくほど、減光量が大きくなる。Ｆ値は、絞り２１の有効開口径で決まる絞り値であり、有効開口領域内の光透過率は考慮されていない。有効開口領域内の光透過率Ｐを考慮した実質的な絞り値はＴ値である。Ｔ値は、一般に式（１）で表される。
【００４３】
Ｔ＝Ｆ／Ｐ１／２    ・・・（１）
【００４４】
式（１）の光透過率ＰにＡＰＤフィルタ２２の光透過率を適用すると、ＡＰＤフィルタ２２の光学特性を考慮したＴ値が得られる。Ｔ値とＦ値との関係は、図４に示す曲線で表される。Ｔ値は、Ｆ値が開放値に近づくほどＦ値との差異が大きくなる。
【００４５】
本実施形態では、ＡＰＤフィルタ２２は、Ｆ値が２．８を超えると減光量がほぼゼロとなり、Ｆ値が２．８以下の領域で減光効果が得られる。すなわち、アポダイゼーション効果が得られるＦ値の閾値Ｆｔｈは、「２．８」である。
【００４６】
図４には、式（２）及び式（３）で定義されるＡＶ（Ｆ）及びＡＶ（Ｔ）が記載されている。ＡＶ（Ｆ）は、Ｆ値に対応するＡＶ（Aperture Value）である。ＡＶ（Ｔ）は、Ｔ値に対応するＡＶである。
【００４７】
ＡＶ（Ｆ）＝２×ｌｏｇ２（Ｆ）    ・・・（２）
ＡＶ（Ｔ）＝２×ｌｏｇ２（Ｔ）    ・・・（３）
【００４８】
本実施形態では、絞り２１の開放絞り値Ｆｍｉｎは、「１．４」である。図４によると、開放絞り値Ｆｍｉｎに対応するＴ値は「２．０」である。したがって、絞り２１が開放絞り値Ｆｍｉｎに設定された場合のＡＰＤフィルタ２２による減光量は、ＡＶの１段分（光量を１／２とする値）に相当する。
【００４９】
ＮＤフィルタ２３は、光軸ＬＡからの距離の大きさに関係なく、入射光の光量を一律に減光させる減光フィルタである。ＮＤフィルタ２３は、光軸ＬＡ（入射光の光路）上に挿脱可能に配置されている。ＮＤフィルタ２３は、主制御部３４の制御に基づいてモータ２８Ｃを駆動させることにより、非挿入位置（図２中の実線）と挿入位置（図２中の破線）との間で移動する。なお、本実施形態では、絞り２１が開放絞り値Ｆｍｉｎに設定された場合のＮＤフィルタ２３による減光量は、ＡＶの１段分（光量を１／２とする値）に相当する。
【００５０】
撮影装置本体１１の内部には、シャッタユニット３０と、撮像素子３２と、主制御部３４と、画像処理部３６と、ＡＦ制御部３８と、露出制御部４０と、表示部４２と、メモリ４４とが設けられている。
【００５１】
シャッタユニット３０は、フォーカルプレーンシャッタ等のメカシャッタである。シャッタユニット３０は、レンズ鏡筒取付部１１Ａと撮像素子３２との間の光路を遮断可能に設けられている。シャッタユニット３０は、後述する主制御部３４の制御に基づいてシャッタモータ３１を駆動させることにより開閉動作を行う。
【００５２】
撮像素子３２は、シャッタユニット３０を介して入射する入射光を光電変換して撮像信号を出力する。撮像素子３２から出力された撮像信号は、画像処理部３６に入力される。撮像素子３２は、ＣＭＯＳ（Complementary Metal Oxide Semiconductor）型センサであり、電子シャッタ機能を有する。この電子シャッタ機能のシャッタ速度は、主制御部３４により制御可能である。
【００５３】
主制御部３４は、ＣＰＵ（Central Processing Unit）と、このＣＰＵで使用されるプログラムやパラメータを記憶したＲＯＭ（Read Only Memory）と、ＣＰＵのワークメモリとして使用されるＲＡＭ（Random Access Memory）など（いずれも図示せず）を備えている。主制御部３４は、撮影装置１０の各部と電気的に接続されており、操作部１３から入力される操作信号に基づいて、撮影装置１０の全体を統括的に制御する。主制御部３４は、シャッタボタン１３Ｂから、Ｓ１オン信号及びＳ２オン信号を受信する。また、主制御部３４は、モード切替ダイヤル１３Ｃから、現在設定されている動作モードを特定する。主制御部３４は、請求の範囲の「制御部」に対応する。
【００５４】
また、主制御部３４は、電気接点１１Ｂを介してＩＤ記憶部２４，２５からＩＤを受信する。主制御部３４は、受信したＩＤに基づき、撮影装置本体１１に接続されているレンズ鏡筒の種類（第１レンズ鏡筒１２と第２レンズ鏡筒１４とのいずれであるか）を特定する。
【００５５】
また、主制御部３４は、特定したレンズ鏡筒の種類に基づいて、ＡＰＤフィルタ２２の有無を判定する。具体的には、主制御部３４は、特定したレンズ鏡筒が第１レンズ鏡筒１２であった場合には、ＡＰＤフィルタ２２が有ると判定し、特定したレンズ鏡筒が第２レンズ鏡筒１４であった場合には、ＡＰＤフィルタ２２が無いと判定する。そして、主制御部３４は、この判定結果をＡＰＤフィルタ情報として撮影露出決定部５６に送信する。
【００５６】
画像処理部３６は、撮像素子３２から受信した撮像信号から画像データを生成する。画像処理部３６は、生成した画像データを表示部４２及びメモリ４４に送信する。表示部４２には、画像データに基づいた画像が表示される。メモリ４４には画像データが記憶される。また、画像処理部３６は、受信した撮像信号をＹ／Ｃ変換することによって輝度信号を生成し、生成した輝度信号を露出制御部４０に送信する。
【００５７】
ＡＦ制御部３８は、撮像信号に基づいて、コントラストＡＦ方式によりＡＦ制御を実行する。ＡＦ制御では、フォーカスレンズ２０を移動させながら、撮像信号に基づいてＡＦ評価値（高周波成分の積算値）を算出する。そして、ＡＦ制御部３８は、ＡＦ評価値が最大となるフォーカスレンズ２０の位置（合焦位置）を検出し、この合焦位置にフォーカスレンズ２０を移動させる。ＡＦ評価値は、画像のコントラストに対応している。撮像素子３２による撮像範囲中のＡＦエリアは、例えば撮像範囲の中央領域である。
【００５８】
露出制御部４０は、輝度信号に基づいて、撮影に最適な露出量、シャッタ速度、及び絞り値（以下、撮影露出量、撮影シャッタ速度、及び撮影絞り値という）を決定する。露出制御部４０は、測光部５２と、プログラム線図記憶部５４と、撮影露出決定部５６と、撮影露出変更部５８とを備えている。
【００５９】
測光部５２は、画像処理部３６から受信した輝度信号に基づいて測光値を算出することによって被写体の測光を行う。測光部５２は、算出した測光値を撮影露出決定部５６に送信する。
【００６０】
プログラム線図記憶部５４は、図５に示す第１プログラム線図Ｐ１と、図６に示す第２プログラム線図Ｐ２とを記憶している。第１及び第２プログラム線図Ｐ１，Ｐ２は、ＡＰＥＸ（Additive system of Photographic EXposure）演算式（４）を満たすＥＶ（Exposure Value）、ＡＶ、及びＴＶ（Time Value）で表されている。第１及び第２プログラム線図Ｐ１，Ｐ２では、１つのＥＶに対して、一組のＡＶ及びＴＶが対応している。
【００６１】
ＥＶ＝ＡＶ＋ＴＶ        ・・・（４）
【００６２】
ＥＶは、露出量を示している。ＴＶは、シャッタ速度ｔ（単位：秒）と式（５）の関係にある。
【００６３】
ＴＶ＝−ｌｏｇ２（ｔ）  ・・・（５）
【００６４】
第１及び第２プログラム線図Ｐ１，Ｐ２では、ＡＶを、前述のＡＶ（Ｆ）を用いて表している。
【００６５】
第１及び第２プログラム線図Ｐ１，Ｐ２は、多段絞り方式である。多段絞り方式のプログラム線図では、ＡＶが離散的な値を取っているので、測光値から求まる撮影露出量ＥＶの変化に伴って、撮影絞り値（ＡＶ）が頻繁に変化することが防止される。
【００６６】
第１プログラム線図Ｐ１は、ＡＰＤフィルタ２２を有していない第２レンズ鏡筒１４が撮影装置本体１１に接続されている場合に用いられる。第１プログラム線図Ｐ１は、露出量ＥＶが第１露出量ＥＶ１以下の領域で絞り値が開放絞り値Ｆｍｉｎに固定されている。開放絞り値Ｆｍｉｎは、「ＡＶ（Ｆ）＝１」に対応している。本実施形態では、ＥＶ１＝１２である。また、第１露出量ＥＶ１に対応するシャッタ速度ＴＶ１は「１１」である。
【００６７】
第２プログラム線図Ｐ２は、ＡＰＤフィルタ２２を有している第１レンズ鏡筒１２が撮影装置本体１１に接続されている場合に用いられる。第２プログラム線図Ｐ２は、露出量ＥＶが第２露出量ＥＶ２以下の領域で絞り値が開放絞り値Ｆｍｉｎに固定されている。第２露出量ＥＶ２は、第１露出量ＥＶ１よりも大きい値である。本実施形態では、ＥＶ２＝１５である。第２プログラム線図Ｐ２では、絞り値が開放絞り値Ｆｍｉｎに固定された領域が第１プログラム線図Ｐ１より長い。第２プログラム線図では、第１プログラム線図の場合よりも、撮影絞り値として開放絞り値Ｆｍｉｎがより優先的に決定される。
【００６８】
第２露出量ＥＶ２に対応するシャッタ速度ＴＶ２は、「１３」である。このシャッタ速度ＴＶ２は、第１プログラム線図Ｐ１の第１露出量ＥＶ１に対応するシャッタ速度ＴＶ１より速い。本実施形態では、シャッタ速度ＴＶ２は、シャッタユニット３０の高速側の限界速度とされている。
【００６９】
撮影露出決定部５６は、撮影準備段階において、ＡＰＤフィルタ情報に基づき、第１プログラム線図Ｐ１と第２プログラム線図Ｐ２とのいずれかを選択する。具体的には、図７に示すように、撮影露出決定部５６は、主制御部３４からＡＰＤフィルタ情報を受信し（Ｓ１１）、ＡＰＤフィルタ２２が光路上に存在する場合（Ｓ１２でＹＥＳ）には、第２プログラム線図Ｐ２を選択する（Ｓ１３）。一方、撮影露出決定部５６は、ＡＰＤフィルタ２２が光路上に存在しない場合（Ｓ１２でＮＯ）には、第１プログラム線図Ｐ１を選択する（Ｓ１４）。
【００７０】
撮影露出決定部５６は、自動露出制御時に、測光部５２から受信した測光値に基づいて所定の演算を行うことにより、撮影に適正な撮影露出量ＥＶａを算出する。撮影露出決定部５６は、選択したプログラム線図を用いて、撮影露出量ＥＶａに基づき、一組の撮影絞り値及び撮影シャッタ速度を決定する。
【００７１】
主制御部３４は、ＡＰＤフィルタ２２が光路上に存在する場合には、撮影露出量ＥＶａが第２露出量ＥＶ２より大きいか否かを判定し、撮影露出量ＥＶａが第２露出量ＥＶ２より大きい場合には、ＮＤフィルタ２３を光路上に挿入させる。なお、ＮＤフィルタ２３は、初期状態では光路外に離脱されている。主制御部３４は、撮影露出量ＥＶａが第２露出量ＥＶ２以下の場合には、ＮＤフィルタ２３を光路外に離脱させたままとする。
【００７２】
撮影露出変更部５８は、ＮＤフィルタ２３が光路上に挿入される場合に作動する。具体的には、撮影露出変更部５８は、撮影露出決定部５６で決定した撮影露出を、ＮＤフィルタ２３による減光量に相当する量だけ、第２プログラム線図Ｐ２に基づいて変更する。本実施形態では、ＮＤフィルタ２３による減光量は、一段（１ＥＶ）であるので、撮影露出変更部５８は、撮影露出量ＥＶａから一段分下げた撮影露出量ＥＶｂに基づいて、一組の撮影絞り値及び撮影シャッタ速度を決定する。撮影露出変更部５８は、変更後の撮影絞り値及び撮影シャッタ速度を主制御部３４に送信する。
【００７３】
次に、ＡＰＤフィルタ２２を有する第１レンズ鏡筒１２が撮影装置本体１１に取り付けられた撮影装置１０の静止画撮影モードの場合の作用を、図８に示すフローチャートを参照しながら説明する。この場合には、撮影露出の決定に用いるプログラム線図として、第２プログラム線図Ｐ２が選択される。
【００７４】
撮影装置１０では、静止画撮影モードに設定されるとライブビュー表示が行われる。このライブビュー表示中にシャッタボタン１３Ｂが半押しされ、主制御部３４がＳ１オン信号を取得すると（ステップＳ２１でＹＥＳ）、ＡＦ制御部３８により前述のＡＦ制御が実行される（ステップＳ２２）。
【００７５】
画像処理部３６は、撮像信号から輝度信号を取得し（ステップＳ２３）、輝度信号を測光部５２に送信する。測光部５２は、受信した輝度信号に基づいて被写体の測光値を算出し（ステップＳ２４）、測光値を撮影露出決定部５６に送信する。撮影露出決定部５６は、受信した測光値に基づいて撮影露出量ＥＶａを算出する（ステップＳ２５）。そして、撮影露出決定部５６は、第２プログラム線図Ｐ２を用いて、撮影露出量ＥＶａに基づいて撮影露出（撮影絞り値及び撮影シャッタ速度）の決定を行う（ステップＳ２６）。
【００７６】
主制御部３４は、撮影露出量ＥＶａが第２露出量ＥＶ２より大きいか否かを判定する（ステップＳ２７）。主制御部３４は、撮影露出量ＥＶａが第２露出量ＥＶ２より大きい場合（ステップＳ２７でＹＥＳ）には、光軸ＬＡ上にＮＤフィルタ２３を挿入させる（ステップＳ２８）。例えば、図９に示すように、撮影露出量ＥＶａが「１５」である場合、主制御部３４は、ＮＤフィルタ２３を光路上に挿入する。
【００７７】
ＮＤフィルタ２３が挿入される場合には、撮影露出変更部５８により、ステップＳ２６で決定された撮影露出が、ＮＤフィルタ２３による減光量に相当する量だけ変更される。例えば、図１０に示すように、撮影露出量ＥＶａが「１５」である場合には、ＮＤフィルタ２３の挿入に伴う減光量だけ撮影露出量を下げた値（ＥＶｂ＝１４）に基づいて決定される撮影露出に変更される。この場合、変更前の撮影露出（ＡＶ（Ｆ）＝２、ＴＶ＝１３）のうち、撮影絞り値が開放絞り値（ＡＶ（Ｆ）＝１）に変更される。
【００７８】
一方、ステップＳ２７において、撮影露出量ＥＶａが第２露出量ＥＶ２以下である（ＥＶａ≦ＥＶ２）と判定された場合には（ステップＳ３３）、主制御部３４は、ＮＤフィルタ２３を光路上に挿入させず、光路から離脱させた状態とする。この場合、撮影露出変更部５８による撮影露出の変更は行われない。ＥＶａ≦ＥＶ２の領域であるので、ステップＳ２６で決定された撮影絞り値は、開放絞り値（ＡＶ（Ｆ）＝１）である。
【００７９】
そして、主制御部３４は、ＥＶａ≦ＥＶ２の場合には、ステップＳ２６で決定された撮影露出を用い、ＥＶａ＞ＥＶ２の場合には、ステップＳ２９で変更された撮影露出を用いて、絞り２１に対して撮影絞り値の設定を行い、シャッタユニット３０に対して撮影シャッタ速度の設定を行う（ステップＳ３０）。
【００８０】
この撮影露出の設定後に、シャッタボタン１３Ｂが全押しされ、主制御部３４がＳ２オン信号を取得すると（ステップＳ３１でＹＥＳ）、静止画の撮影が行われる（ステップＳ３２）。
【００８１】
以上のように、ＡＰＤフィルタ２２を有する第１レンズ鏡筒１２が撮影装置本体１１に取り付けられた場合には、撮影露出量が、絞り値が開放絞り値に固定された領域を超える場合（ＥＶａ＞ＥＶ２）にのみＮＤフィルタ２３を光路上に挿入させる。本発明では、従来のように光路上へのＡＰＤフィルタの挿入とともにＮＤフィルタを挿入することによって、撮影シャッタ速度が一律に遅くなることはなく、撮影シャッタ速度の低下によるブレの発生が軽減される。
【００８２】
［第２実施形態］
第１実施形態では、撮影装置１０の動作モードとして、静止画撮影モード及び再生モードを有するが、第２実施形態では、さらに動画撮影モードを有する。動画撮影モードは、モード切替ダイヤル１３Ｃによって切り替え可能である。動画撮影モードでは、ライブビュー表示中にシャッタボタン１３Ｂが全押しされることによって、動画撮影が行われる。以下、この動画撮影モードについて説明を行う。
【００８３】
撮像素子３２は、ローリングシャッタ方式で撮像動作を行う。図１１に示すように、撮像素子３２は、１画素行ごとに、電荷のリセット、露光及び蓄積された電荷の読み出しを行う。このため、画素行ごとに露光期間が異なる。動画撮影モードの場合には、先頭の画素行から最終の画素行までのリセット及び読み出し動作が繰り返し行われる。
【００８４】
図１２において、第２実施形態の第２プログラム線図Ｐ２０は、露出量ＥＶが第２露出量ＥＶ２以下の領域で絞り値が開放絞り値に固定されており、ＥＶ２＝１６としている。第２露出量ＥＶ２に対応するシャッタ速度ＴＶ３は、シャッタユニット３０の高速側の限界速度ＴＶ２よりも速い値に設定されており、ＴＶ３＝１５である。第２プログラム線図Ｐ２０は、第１実施形態と同様に、ＡＰＤフィルタ２２が光路上に配置されている場合に用いられる。
【００８５】
主制御部３４は、第２プログラム線図Ｐ２０に基づいて決定された撮影露出量に基づいて、絞り２１の絞り値の設定を行うとともに、撮像素子３２を制御して、電子シャッタ機能のシャッタ速度の設定を行う。本実施形態のその他の構成は、第１実施形態と同一である。
【００８６】
本実施形態の第２プログラム線図Ｐ２０は、第１実施形態の第２プログラム線図Ｐ２（図６参照）よりも、開放絞り値に固定された範囲が、高露出量側に拡大されている。このため、本実施形態では、第１実施形態よりも絞りを絞り込ませることなく、ブレの発生を軽減することができる。
【００８７】
なお、本実施形態では、第２プログラム線図Ｐ２０を動画撮影モードに適用する例を示しているが、第２プログラム線図Ｐ２０を静止画撮影モードに適用しても良い。
【００８８】
なお、本実施形態では、撮像素子３２をローリングシャッタ方式で撮像動作させているが、グローバルシャッタ方式を用いても良い。ＣＭＯＳ型センサは、光電変換素子としてのフォトダイオード（ＰＤ：Photo Diode）と、一時電荷保持容量であるフローティングディフュージョン（ＦＤ：Floating Diffusion）との間に転送トランジスタを設け、ＦＤを遮光することにより、グローバルシャッタ方式での駆動が可能となる。
【００８９】
グローバルシャッタ方式では、全画素のリセットトランジスタと転送トランジスタをオンすることにより、電荷のリセットが一括して行われる。所定の露光期間後に、全画素の転送トランジスタをオンすることにより、ＦＤへの信号電荷の転送が一括して行われる。そして、ローリングシャッタ方式と同様に、１画素行ずつ信号の読み出しが行われる。
【００９０】
このグローバルシャッタ方式のＣＭＯＳ型センサでは、表面照射方式とすると、上記転送トランジスタとその配線などの付加回路が必要となる分だけ、ＰＤの受光領域を縮小する必要があるので、裏面照射方式が好ましい。
【００９１】
［第３実施形態］
第１実施形態では、撮影露出量ＥＶａが第２露出量ＥＶ２よりも大きい場合に、ＮＤフィルタ２３を直ちに光路上に挿入させているが、第３実施形態では、撮影露出量ＥＶａが第２露出量ＥＶ２より大きい第３露出量ＥＶ３以上の場合にＮＤフィルタ２３を光路上に挿入させる。
【００９２】
図１３において、第３実施形態の第２プログラム線図Ｐ２２は、露出量ＥＶが第２露出量ＥＶ２以下の領域で絞り値が開放絞り値Ｆｍｉｎに固定されており、ＥＶ２＝１４としている。第２露出量ＥＶ２に対応するシャッタ速度は、第１実施形態と同様に、シャッタユニット３０の高速側の限界速度に設定されている。第２プログラム線図Ｐ２２は、第１実施形態と同様に、ＡＰＤフィルタ２２が光路上に配置されている場合に用いられる。
【００９３】
主制御部３４は、撮影露出量ＥＶａが第２露出量ＥＶ２より大きく且つ第３露出量ＥＶ３未満の範囲の場合には、ＮＤフィルタ２３を光路外に離脱させる。主制御部３４は、撮影露出量ＥＶａが第３露出量ＥＶ３以上の場合には、ＮＤフィルタ２３を光路上に挿入させる。第３露出量ＥＶ３は「１６」である。第３露出量ＥＶ３に対応する絞り値は、アポダイゼーション効果が得られる閾値Ｆｔｈに対応する。
【００９４】
本実施形態では、ＮＤフィルタ２３を光路外に離脱させた状態で、絞りを、アポダイゼーション効果が得られる閾値Ｆｔｈまで絞り込ませることを許容している。
【００９５】
［第４実施形態］
第４実施形態では、図１４に示す第２プログラム線図Ｐ２４を用いる。第２プログラム線図Ｐ２４は、露出量ＥＶが第２露出量ＥＶ２以下の領域で絞り値が開放絞り値に固定され、露出量ＥＶが第４露出量ＥＶ４から第５露出量ＥＶ５以下の範囲では、絞り値が閾値Ｆｔｈに固定されている。第４露出量ＥＶ４は、第２露出量ＥＶ２よりも大きい値である。第５露出量ＥＶ５は、第４露出量ＥＶ４よりも大きい値である。第４露出量ＥＶ４は「１６」であり、第５露出量ＥＶ５は「１８」である。
【００９６】
第２露出量ＥＶ２に対応するシャッタ速度ＴＶ２は、シャッタユニット３０の高速側の限界速度に設定されており、ＴＶ２＝１３である。第５露出量ＥＶ５に対応するシャッタ速度ＴＶ３は、ＴＶ２よりも速い値に設定されており、ＴＶ３＝１５である。また、第５露出量ＥＶ５に対応する絞り値は、アポダイゼーション効果が得られる閾値Ｆｔｈに対応している。第２プログラム線図Ｐ２４は、第１実施形態と同様に、ＡＰＤフィルタ２２が光路上に配置されている場合に用いられる。
【００９７】
主制御部３４は、第２プログラム線図Ｐ２４に基づいて決定された撮影露出量が第２露出量ＥＶ２以下の場合には、シャッタユニット３０により撮影シャッタ速度の設定を行う。また、主制御部３４は、第２プログラム線図Ｐ２４に基づいて決定された撮影露出量が第２露出量ＥＶ２より大きい場合には、撮像素子３２の電子シャッタ機能により撮影シャッタ速度の設定を行う。また、主制御部３４は、第２プログラム線図Ｐ２４に基づいて決定された撮影露出量が第４露出量ＥＶ４より大きい場合には、ＮＤフィルタ２３を光路上に挿入させる。
【００９８】
本実施形態では、ＮＤフィルタ２３を光路外に離脱させた状態で、絞りを、アポダイゼーション効果が得られる閾値Ｆｔｈまで絞り込ませることを許容している。また、本実施形態では、電子シャッタ機能による撮影シャッタ速度の設定を可能とすることにより、アポダイゼーション効果が得られる範囲を高露出量側に拡大している。
【００９９】
なお、上記各実施形態では、ＮＤフィルタ２３を第１レンズ鏡筒１２内に設けているが、図１５に示すように、第１レンズ鏡筒１２内にＮＤフィルタ２３を設けず、撮影装置本体１１１内にＮＤフィルタ２３を設けても良い。撮影装置本体１１１では、主制御部３４の制御に基づいてモータ２８Ｃを駆動させることにより、ＮＤフィルタ２３を光路上に挿脱させる。撮影装置本体１１１の他の構成については、上記各実施形態の撮影装置本体１１と同様である。
【０１００】
また、上記各実施形態では、レンズ鏡筒と撮影装置本体とが着脱可能なレンズ交換型の撮影装置を例として本発明を説明しているが、本発明は、レンズ鏡筒と撮影装置本体とが一体化された一体型の撮影装置にも適用可能である。レンズ交換型の撮影装置では、レンズ鏡筒を交換することによりＡＰＤフィルタが光路上から挿脱されるが、一体型の撮影装置では、ＡＰＤフィルタを光路上に挿脱させる機構を設ければ良い。この一体型の撮影装置では、ＡＰＤフィルタの挿脱に応じて、第１プログラム線図及び第２プログラム線図の選択を行う。
【０１０１】
さらに、一体型の撮影装置の場合には、ＡＰＤフィルタを挿脱させずに、ＡＰＤフィルタを光路上に固定配置しても良い。ＡＰＤフィルタが光路上に固定配置されている場合は、前述の第１プログラム線図及び第２プログラム線図のうち、第２プログラム線図のみを用いればよい。この場合、第２露出量ＥＶ２が、請求の範囲の「特定の露出量」に対応する。
【０１０２】
また、上記各実施形態では、撮像素子３２としてＣＭＯＳ型イメージセンサを用いているが、ＣＣＤ（Charge Coupled Device）イメージセンサを用いてもよい。
【０１０３】
上記各実施形態では、ＡＦ制御部３８は、コントラストＡＦ方式によりＡＦ制御を行っているが、位相差ＡＦ方式によりＡＦ制御を行ってもよい。
【０１０４】
また、上記各実施形態では、ＮＤフィルタ２３を光路上に挿入する場合に、撮影露出変更部５８により撮影露出の変更を行っているが、この撮影露出の変更は必須ではなく、撮影露出変更部５８を設けなくてもよい。これは、ＮＤフィルタ２３を光路上に挿入した際に撮影露出の変更を行わなくても、ＮＤフィルタ２３を光路上に挿入した状態で、再度、測光及び撮影露出の決定を行うことにより、ＮＤフィルタ２３の減光量が反映された撮影露出が決定されるためである。
【符号の説明】
【０１０５】
１０  撮影装置
１１，１１１  撮影装置本体
１１Ａ  レンズ鏡筒取付部
１１Ｂ  電気接点
１２  第１レンズ鏡筒
１２Ａ  基端部
１２Ｂ  電気接点
１３  操作部
１３Ａ  電源ボタン
１３Ｂ  シャッタボタン
１３Ｃ  モード切替ダイヤル
１４  第２レンズ鏡筒
１４Ａ  基端部
１４Ｂ  電気接点
２０  フォーカスレンズ
２１  絞り
２２  ＡＰＤフィルタ
２３  ＮＤフィルタ（減光フィルタ）
２４，２５  ＩＤ記憶部
２８Ａ，２８Ｂ，２８Ｃ  モータ
３０  シャッタユニット
３１  シャッタモータ
３２  撮像素子
３４  主制御部（制御部）
３６  画像処理部
３８  ＡＦ制御部
４０  露出制御部
４２  表示部
４４  メモリ
５２  測光部
５４  プログラム線図記憶部
５６  撮影露出決定部
５８  撮影露出変更部
Ｐ１  第１プログラム線図
Ｐ２，Ｐ２０，Ｐ２２，Ｐ２４  第２プログラム線図
【図１】
2016158248.tif 000003
【図２】
2016158248.tif 000004
【図３】
2016158248.tif 000005
【図４】
2016158248.tif 000006
【図５】
2016158248.tif 000007
【図６】
2016158248.tif 000008
【図７】
2016158248.tif 000009
【図８】
2016158248.tif 000010
【図９】
2016158248.tif 000011
【図１０】
2016158248.tif 000012
【図１１】
2016158248.tif 000013
【図１２】
2016158248.tif 000014
【図１３】
2016158248.tif 000015
【図１４】
2016158248.tif 000016
【図１５】
2016158248.tif 000017
【手続補正書】
【提出日】平成29年10月12日(2017.10.12)
【手続補正１】
【補正対象書類名】特許請求の範囲
【補正対象項目名】全文
【補正方法】変更
【補正の内容】
【特許請求の範囲】
【請求項１】
入射光を光電変換して撮像信号を出力する撮像素子と、
前記入射光の光量を調整する絞りと、
前記撮像信号に基づいて測光を行う測光部と、
前記入射光の光路上に配置されるアポダイゼーションフィルタと、
第１露出量以下で絞り値が開放絞り値に固定された第１プログラム線図と、前記第１露出量より大きい第２露出量以下で絞り値が開放絞り値に固定された第２プログラム線図とを記憶するプログラム線図記憶部と、
前記アポダイゼーションフィルタが前記光路上に配置されていない場合に前記第１プログラム線図を選択し、前記アポダイゼーションフィルタが前記光路上に配置されている場合に前記第２プログラム線図を選択し、前記測光部による測光値から求まる撮影露出量に基づき、一組の撮影絞り値及び撮影シャッタ速度を決定する撮影露出決定部と、
前記光路上に挿脱される減光フィルタと、
前記アポダイゼーションフィルタが前記光路上に配置されている場合であって、かつ前記撮影露出量が前記第２露出量より大きい場合に、前記減光フィルタを前記光路上に挿入させる制御部と、
を備える撮影装置。
【請求項２】
前記第２プログラム線図で前記第２露出量に対応するシャッタ速度は、前記第１プログラム線図の前記第１露出量に対応するシャッタ速度より速い請求項１に記載の撮影装置。
【請求項３】
メカシャッタを備え、
前記第２プログラム線図で前記第２露出量に対応するシャッタ速度は、前記第１プログラム線図の前記第１露出量に対応するシャッタ速度より速く、かつ前記メカシャッタの高速側の限界速度以下である請求項２に記載の撮影装置。
【請求項４】
メカシャッタを備え、
前記撮像素子は、電子シャッタ機能を有し、
前記第２プログラム線図で前記第２露出量に対応するシャッタ速度は、前記メカシャッタの高速側の限界速度より速く、
前記撮影シャッタ速度が前記限界速度より速い場合は、前記電子シャッタ機能により前記撮影シャッタ速度を設定する請求項２に記載の撮影装置。
【請求項５】
前記制御部は、前記撮影露出量が、前記第２露出量より大きい第３露出量以上の場合に、前記減光フィルタを前記光路上に挿入させ、
前記第２プログラム線図で前記第３露出量に対応する絞り値は、前記開放絞り値よりも大きい請求項１〜４のいずれか１項に記載の撮影装置。
【請求項６】
前記アポダイゼーションフィルタは、絞り値が閾値以下の場合にアポダイゼーション効果が得られ、
前記第２プログラム線図で前記第３露出量に対応する絞り値は、前記閾値に対応する請求項５に記載の撮影装置。
【請求項７】
前記第１プログラム線図は、前記第１露出量より大きい範囲では、絞り値が離散的な値を取る請求項１〜６のいずれか１項に記載の撮影装置。
【請求項８】
前記第２プログラム線図は、前記第２露出量より大きい範囲では、絞り値が離散的な値を取る請求項１〜６のいずれか１項に記載の撮影装置。
【請求項９】
前記アポダイゼーションフィルタは、絞り値が閾値以下の場合にアポダイゼーション効果が得られ、
前記第２プログラム線図は、前記第２露出量よりも大きい第４露出量から、前記第４露出量よりも大きい第５露出量以下の範囲では、絞り値が前記閾値に固定されている請求項４に記載の撮影装置。
【請求項１０】
前記制御部は、前記撮影露出量が、前記第４露出量以上の場合に、前記減光フィルタを前記光路上に挿入させる請求項９に記載の撮影装置。
【請求項１１】
前記第２プログラム線図は、前記第２露出量から前記第４露出量の範囲、及び前記第５露出量より大きい範囲では、絞り値が離散的な値を取る請求項９または１０に記載の撮影装置。
【請求項１２】
前記撮像素子はＣＭＯＳ型センサであり、前記電子シャッタ機能はローリングシャッタ方式である請求項４に記載の撮影装置。
【請求項１３】
アポダイゼーションフィルタを有するレンズ鏡筒が取り付けられた撮影装置本体において、
入射光を光電変換して撮像信号を出力する撮像素子と、
前記入射光の光量を調整する絞りと、
前記撮像信号に基づいて測光を行う測光部と、
第１露出量以下で絞り値が開放絞り値に固定された第１プログラム線図と、前記第１露出量より大きい第２露出量以下で絞り値が開放絞り値に固定された第２プログラム線図とを記憶するプログラム線図記憶部と、
前記アポダイゼーションフィルタが光路上に配置されていない場合に前記第１プログラム線図を選択し、前記アポダイゼーションフィルタが光路上に配置されている場合に前記第２プログラム線図を選択し、前記測光部による測光値から求まる撮影露出量に基づき、一組の撮影絞り値及び撮影シャッタ速度を決定する撮影露出決定部と、
光路上に挿脱される減光フィルタと、
前記アポダイゼーションフィルタが光路上に配置されている場合であって、かつ前記撮影露出量が前記第２露出量より大きい場合に、前記減光フィルタを光路上に挿入させる制御部と、
を備える撮影装置本体。
【請求項１４】
入射光を光電変換して撮像信号を出力する撮像素子と、
前記入射光の光量を調整する絞りと、
前記撮像信号に基づいて測光を行う測光部と、
前記入射光の光路上に配置されるアポダイゼーションフィルタと、
第１露出量以下で絞り値が開放絞り値に固定された第１プログラム線図と、前記第１露出量より大きい第２露出量以下で絞り値が開放絞り値に固定された第２プログラム線図とを記憶するプログラム線図記憶部と、
前記アポダイゼーションフィルタが前記光路上に配置されていない場合に前記第１プログラム線図を選択し、前記アポダイゼーションフィルタが前記光路上に配置されている場合に前記第２プログラム線図を選択し、前記測光部による測光値から求まる撮影露出量に基づき、一組の撮影絞り値及び撮影シャッタ速度を決定する撮影露出決定部と、
前記光路上に挿脱される減光フィルタと、
を備える撮影装置の制御方法において、
前記アポダイゼーションフィルタが前記光路上に配置されている場合であって、かつ前記撮影露出量が前記第２露出量より大きい場合に、前記減光フィルタを前記光路上に挿入させる撮影装置の制御方法。
【国際調査報告】
2016158248.tif 000018
2016158248.tif 000019